(57)【要約】【課題】収納空間を節約可能な折りたたみ式の物置棚を提供する。【解決手段】二つの側枠組み１０、二つのメインパイプラック２０、二つのスライドパイプラック３０、少なくとも一つの棚板セット５０および一つの頂板セット６０が含まれている。各側枠組み１０にはそれぞれ二つの側柱が含まれており、また各側柱１１はそれぞれ相互に平行に設置され、二つのメインパイプラック２０はそれぞれ各側枠組みの側柱１１の間に設置され、また各側柱１１に平行し、そのなかで各メインパイプラック２０の高さは側柱１１の高さより低く、各スライドパイプラック３０の一端はそれぞれ相対応する各メインパイプラック内に穿設され、棚板セット５０は二つのメインパイプラック２０と二つの側枠組みの間に枢設され、頂板セット６０は二つのスライドパイプラック３０と二つの側枠組みの間に枢設されている。【選択図】  図１
0003194529.tif 000002
【実用新案登録請求の範囲】
【請求項１】
二つの側枠組み、二つのメインパイプラック、二つのスライドパイプラック、一つの棚板セット、および一つの頂板セットを備え、
前記側枠組みは互いに平行に設置されている二つの側柱を有し、
前記メインパイプラックは、各前記側枠組みの二つの前記側柱の間に設置されており、前記側柱と平行であり、中空状を呈するように設置されており、中段に一つの位置決め穴が形成されており、高さが前記側柱の高さより低く形成されており、
前記スライドパイプラックは、一方の端部がメインパイプラック内に穿設されており、当該端部において前記メインパイプラックの前記位置決め穴に対応する位置に一つの穴が形成されており、内部に一つの弾性体が設置されており、前記弾性体の一端に一つのボタンが設置されており、前記ボタンが前記スライドパイプラックの前記穴および前記メインパイプラックの前記位置決め穴をこの順で貫通し、
前記棚板セットは、二つの前記側枠組みの間に設置されており、二つの棚板、二つの支持棒セット、および、二つの組付ユニットを有し、二つの前記組付ユニットがそれぞれ二つの前記メインパイプラックの横方向の互いに対向する位置に固定されており、二つの前記支持棒セットが二つの前記側枠組みの間に相互に平行となるよう設置されており二つの支持棒を有し、二つの前記支持棒セットのうち、一方の前記支持棒セットの一方の前記支持棒の一端と他方の前記支持棒セットの一方の前記支持棒の一端とが互いに隣接するよう一方の前記組付ユニットに回転可能に設けられており、一方の前記支持棒セットの一方の前記支持棒の他端と他方の前記支持棒セットの一方の前記支持棒の他端とが互いに隣接するよう他方の前記組付ユニットに回転可能に設けられており、一方の前記支持棒セットの他方の前記支持棒および他方の前記支持棒セットの他方の前記支持棒の両端が互いに対向する前記側柱の間に回転可能に設けられており、二つの前記棚板がそれぞれ各前記支持棒セットの二つの前記支持棒に固定されており、
前記頂板セットは、二つの前記側枠組みの間に設置されており、二つの頂板、二つの支持棒セット、および、二つの頂部組付ユニットを有し、二つの前記頂部組付ユニットがそれぞれ二つの前記スライドパイプラックの前記メインパイプラックから離れている一端に固定されており、二つの前記支持棒セットが互いに平行となるよう二つの前記側枠組みの間に設置されており、二つの前記支持棒セットがそれぞれ二つの支持棒を有し、二つの前記支持棒セットのうち、一方の前記支持棒セットの一方の前記支持棒の一端と他方の前記支持棒セットの一方の前記支持棒の一端とが互いに隣接するよう一方の前記組付ユニットに回転可能に設けられており、一方の前記前記支持棒セットの一方の前記支持棒の他端と他方の前記支持棒セットの一方の前記支持棒の他端とが互いに隣接するよう他方の前記組付ユニットに回転可能に設けられており、一方の前記支持棒セットの他方の前記支持棒および他方の前記支持棒セットの他方の前記支持棒の両端が互いに対向する前記側柱の間に回転可能に設けられており、前記頂板が前記支持棒セットの二つの前記支持棒に固定されていることを特徴とする折りたたみ式の物置棚。
【請求項２】
前記弾性体は一つのＵ字型の弾性片であることを特徴とする請求項１に記載の折りたたみ式の物置棚。
【請求項３】
各前記棚板セットの各前記組付ユニットは、逆Ｌ字状であり、板状に形成されている一つのアッパーストッパー、および、当該アッパーストッパーと直交する方向に形成されている一つの枢接片を有し、
二つの前記支持棒セットのうち、一方の前記支持棒セットの一方の前記支持棒の一端と他方の前記支持棒セットの一方の前記支持棒の一端とが互いに隣接するよう一方の前記組付ユニットに回転可能に設けられており、一方の前記支持棒セットの一方の前記支持棒の他端と他方の前記支持棒セットの一方の前記支持棒の他端とが互いに隣接するよう他方の前記組付ユニットに回転可能に設けられており、
二つの前記棚板は、互いに対向する両側の端部がそれぞれ二つの前記アッパーストッパーの下方に当接していることを特徴とする請求項１に記載の折りたたみ式の物置棚。
【請求項４】
各前記棚板セットは四層に設置されていることを特徴とする請求項１に記載の折りたたみ式の物置棚。
【請求項５】
前記棚板セットは、少なくとも二組であり、二つの前記メインパイプラックの頂端と底端との間に設置されていることを特徴とする請求項１に記載の折りたたみ式の物置棚。
【請求項６】
前記頂板セットの各前記頂部組付ユニットは、Ｌ字型であり、板状に形成されている一つのアンダーストッパー、および、当該アンダーストッパーと直交する方向に形成されている一つの下枢接片を有し、
二つの前記支持棒セットのうち、一方の前記支持棒セットの一方の前記支持棒の一端と他方の前記支持棒セットの一方の前記支持棒の一端とが互いに隣接するよう一方の前記組付ユニットに回転可能に設けられており、一方の前記前記支持棒セットの一方の前記支持棒の他端と他方の前記支持棒セットの一方の前記支持棒の他端とが互いに隣接するよう他方の前記組付ユニットに回転可能に設けられており、
二つの前記頂板は、互いに対向する両側の端部がそれぞれ前記アンダーストッパーの上方に低く抑えられていることを特徴とする請求項１に記載の折りたたみ式の物置棚。
【請求項７】
二つの位置決め枠組みを更に備え、
各前記位置決め枠組みは、相対回転可能に接続されている二つの位置決め棒を有し、
二つの前記位置決め棒は、一端が前記側枠組みの二つの前記側柱の底部に回転可能に設けられており、他端の前記側柱に対応する位置に位置制限部が設置されており、
各前記側枠組みの二つの前記側柱は、互いに対向する位置に一つの位置制限穴が設置されており、
前記位置制限部は前記位置制限穴に挿入可能であることを特徴とする請求項１に記載の折りたたみ式の物置棚。
【考案の詳細な説明】
【技術分野】
【０００１】
本考案は、物置棚に関し、特に収納空間を節約可能な折りたたみ式の物置棚に関する。
【背景技術】
【０００２】
従来の折りたたみ式の物置棚は、構造設計の関係により、それが折りたたまれた後に大部分は本来の架体の高さを増加させ、例えば特許文献１および特許文献２においては、そのいずれも従来の折りたたみ式の物置棚を上へ収納した状態のもとで、少なくとも棚板が半折りした場合の高さを増加させることが分かり、従って折りたたみ式の物置棚の場合には包装の材積を増加させ、輸送量を減少させ、収納または輸送の過程のいずれの場合においても、すべて空間を増加させ、貨物輸送および倉庫の容積率に影響を与え、相対的に貨物輸送および倉庫のコスト、一般の利用者の未使用状態時の収納空間に影響を与えることとなる。
【先行技術文献】
【特許文献】
【０００３】
【特許文献１】実開第２００９−３１５３０１３号公報
【特許文献２】特開第２０１２−１００７６７号公報
【考案の概要】
【考案が解決しようとする課題】
【０００４】
本考案者は前述従来の折りたたみ式の物置棚の実際的な使用上において、依然収納後の形成長さが比較的長く、占有空間を増加させる欠点があることを鑑みて、本考案の折りたたみ式の物置棚を考案するものである。
【０００５】
本考案は折りたたみ式の物置棚であり、折りたたみ式の物置棚を収納する時に、収納の高さを余計に増加せず、従来の収納の高さを減少させることができ、それにより業者の貨物輸送および倉庫貯蔵の容積率を増加させ、さらに貨物輸送および倉庫のコストを減少させることのできる折りたたみ式の物置棚を提供することを主な目的とする。
【課題を解決するための手段】
【０００６】
本考案による折りたたみ式の物置棚は、二つの側枠組み、二つのメインパイプラック、二つのスライドパイプラック、一つの棚板セット、および一つの頂板セットを備える。側枠組みは互いに平行に設置されている二つの側柱を有する。メインパイプラックは、各側枠組みの二つの側柱の間に設置されており、側柱と平行であり、中空状を呈するように設置されており、中段に一つの位置決め穴が形成されており、高さが側柱の高さより低く形成されている。
スライドパイプラックは、一方の端部がメインパイプラック内に穿設されており、当該端部においてメインパイプラックの位置決め穴に対応する位置に一つの穴が形成されており、内部に一つの弾性体が設置されている。弾性体の一端には一つのボタンが設置されており、ボタンはスライドパイプラックの穴およびメインパイプラックの位置決め穴をこの順で貫通する。
棚板セットは、二つの側枠組みの間に設置されており、二つの棚板、二つの支持棒セット、および、二つの組付ユニットを有する。二つの組付ユニットはそれぞれ二つのメインパイプラックの横方向の互いに対向する位置に固定されている。二つの支持棒セットは二つの側枠組みの間に相互に平行となるよう設置されており二つの支持棒を有する。二つの支持棒セットのうち、一方の支持棒セットの一方の支持棒の一端と他方の支持棒セットの一方の支持棒の一端とが互いに隣接するよう一方の組付ユニットに回転可能に設けられており、一方の支持棒セットの一方の支持棒の他端と他方の支持棒セットの一方の支持棒の他端とが互いに隣接するよう他方の組付ユニットに回転可能に設けられており、一方の支持棒セットの他方の支持棒および他方の支持棒セットの他方の支持棒の両端が互いに対向する側柱の間に回転可能に設けられている。また。二つの棚板はそれぞれ各支持棒セットの二つの支持棒に固定されている。
頂板セットは、二つの側枠組みの間に設置されており、二つの頂板、二つの支持棒セット、および、二つの頂部組付ユニットを有する。二つの頂部組付ユニットはそれぞれ二つのスライドパイプラックのメインパイプラックから離れている一端に固定されている。二つの支持棒セットは、互いに平行となるよう二つの側枠組みの間に設置されており、それぞれ二つの支持棒を有する。二つの支持棒セットのうち、一方の支持棒セットの一方の支持棒の一端と他方の支持棒セットの一方の支持棒の一端とが互いに隣接するよう一方の組付ユニットに回転可能に設けられており、一方の支持棒セットの一方の支持棒の他端と他方の支持棒セットの一方の支持棒の他端とが互いに隣接するよう他方の組付ユニットに回転可能に設けられており、一方の支持棒セットの他方の支持棒および他方の支持棒セットの他方の支持棒の両端が互いに対向する側柱の間に回転可能に設けられている。また、頂板は支持棒セットの二つの支持棒に固定されている。
【図面の簡単な説明】
【０００７】
【図１】本考案の一実施形態による折りたたみ式の物置棚を示す斜視図である。
【図２】本考案の一実施形態による折りたたみ式の物置棚を示す分解斜視図である。
【図３】本考案の一実施形態による折りたたみ式の物置棚を示す要部拡大図である。
【図４】本考案の一実施形態による折りたたみ式の物置棚を示す要部拡大図である。
【図５】本考案の一実施形態による折りたたみ式の物置棚を折り畳む動作を示す斜視図である。
【図６】本考案の一実施形態による折りたたみ式の物置棚が折畳まれた状態を示す斜視図である。
【考案を実施するための形態】
【０００８】
（一実施形態）
図１から図３に示すように、本考案の折りたたみ式の物置棚は、二つの側枠組み１０、二つのメインパイプラック２０、二つのスライドパイプラック３０、二つの位置決め枠組み４０、少なくとも一つの棚板セット５０および一つの頂板セット６０を含んでいる。
【０００９】
各セットの側枠組み１０はそれぞれ二つの側柱１１を含んでおり、また各側柱１１はそれぞれ相互に平行に設置され、また各セットの二つの側柱１１はそれぞれ対向方向に一つの位置制限穴１２が設置されている。
【００１０】
二つのメインパイプラック２０はそれぞれ各側枠組み１０の二つの側柱１１の間に設置され、また該側柱１１に平行し、各メインパイプラック２０は中空状を呈するように設置され、また中段にそれぞれ一つの位置決め穴２１が設置されており、そのなかで各メインパイプラック２０の高さは当該側柱１１の高さより低い。
【００１１】
各スライドパイプラック３０の一端はそれぞれ相対応する各メインパイプラック２０に穿設され、また端のそれぞれメインパイプラック２０に対応する位置決め穴２１に一つの穴３１が固設されており、また各スライドパイプラック３０内にそれぞれ一つの弾性体３２が設置されており、それは図に示すように一つのＵ  字型の弾性片であり、弾性体３２の一端には一つのボタン３２０が設置されており、ボタン３２０は順番にスライドパイプラック３０の穴３１およびメインパイプラック２０の位置決め穴２１を穿つ。
【００１２】
各位置決め枠組み４０はそれぞれ相互に枢接する二つの位置決め棒４１が設置されており、各位置決め枠組み４０の二つの位置決め棒４１の一端はそれぞれ於相対応する各セットの側枠組み１０の二つの側柱１１の底部に枢設され、各位置決め棒４１の他方端のそれぞれ対応する各側柱１１の位置制限穴１２に一つの位置制限部４１０が設置されており、各位置制限部４１０は物置棚が展開される時に、それぞれ対向する各位置制限穴１２内に挿設されることにより物置棚に対して位置決めの効果を提供することができる。
【００１３】
棚板セット５０は二つの側枠組み１０の間に設置され、また二つの棚板５１、二つの支持棒セット（図に示さない）および二つの組付ユニット５２を含んでおり、二つの組付ユニット５２はそれぞれメインパイプラック２０と同じ水平位置の対向面に固設され、各組付ユニット５２はそれぞれ逆Ｌ字型を呈し、頂部の水平位置は一つのアッパーストッパー５２０を成し、垂直方向は一つの枢接片５２１を成し、二セットの支持棒セットはそれぞれ相互に平行に設置され、二つの側枠組み１０の間に位置し、二セットの支持棒セットはそれぞれ二つの支持棒（図に示さない）を有し、各セットの支持棒セットのいずれか一つの支持棒の一端はそれぞれ同じ一つの枢接片５２１の隣接位置に枢設され、二つの支持棒の他方端はそれぞれもう一つの枢接片５２１の隣接位置に枢設され、さらに二つの支持棒セットの別の一つの支持棒の両端はそれぞれ対向する二つの側柱１１の間に枢設され、同時に二つの棚板５１はそれぞれ各支持棒セットの二つの支持棒に固定され、物置棚が展開される時に、二つの棚板５１の二つの対向側はそれぞれ上から二つのアッパーストッパー５２０の下方に当接しており、そのなかで図に示すように、棚板セット５０は四層設置されているが、ただし本考案の棚板セット５０は層数が限定されておらず、利用者のニーズにより例えば一層、二層、三層などの層数を設置することができ、また少なくとも二組設置されるのが理想的であり、また二つのメインパイプラック２０の頂、底両端の間に位置する。
【００１４】
頂板セット６０は二つの側枠組み１０の間に設置され、また二つの頂板６１、二つの支持棒セット６２および二つの頂部組付ユニット６３を含んでおり、二つの頂部組付ユニット６３はそれぞれ二つのスライドパイプラック３０のメインパイプラック２０から離れている一端に固設され、各頂部組付ユニット６３はそれぞれＬ字型を呈し、水平位置は一つのアンダーストッパー６３０を成し、垂直方向は一つの下枢接片６３１を成し、二つの支持棒セット６２はそれぞれ相互に平行に設置され、また二つの側枠組み１０の間に位置し、二セットの支持棒セット６２はそれぞれ二つの支持棒６２０を有し、各セットの支持棒セット６２のいずれか一つの支持棒６２０の一端はそれぞれ同じ一つの下枢接片６３１の隣接位置に枢設され、二つの支持棒６２０の他方端はそれぞれもう一つの下枢接片６３１の隣接位置に枢設され、さらに二つの支持棒セット６２の別の一つの支持棒６２０の両端はそれぞれ対向する二つの側柱１１の間に枢設され、同時に二つの頂板セット６０はそれぞれ各支持棒セット６２の二つの支持棒６２０に固定され、また物置棚が展開される時に、頂板セット６０の二つの対向側はそれぞれ二つのアンダーストッパー６３０の上方より低く抑えられている。
【００１５】
収納する時に、図２および図４に示すように、まず二つの位置決め枠組み４０の各位置制限部４１０を対向する側柱１１の位置制限部４１０から離脱させ、続いて二つのメインパイプラック２０の突出する二つのボタン３２０を押圧することにより、二つの弾性体３２を圧縮し、また二つのボタン３２０を二つのメインパイプラック２０の位置決め穴２１から離脱させ、更に図５に示すように、二つの頂板セット６０の対向位置を下へ移動させ、それにより二つのスライドパイプラック３０を二つのメインパイプラック２０内へ相互に収納し、同時に各支持棒６２０および各支持棒を連動させるように枢転し、それにより二つのスライドパイプラック３０を下へ二つのメインパイプラック２０内に収納し、また二つのメインパイプラック２０も対向して二つのスライドパイプラック３０方向へ上に移動し、二つの支持棒６２０は二つのスライドパイプラック３０に牽引される形で動き、それにより二つの頂板セット６０は下へ半折りして収納し、その他の二つの隣接する棚板５１は二つのメインパイプラック２０に牽引される形で動き、それにより二つの隣接する棚板５１は上へ半折りして当接するように収納し、最後に図６に示すように、物置棚を完全に収納してから、二つの位置決め枠組み４０を収納し、本実施形態の物置棚の収納状態を完成させる。
【００１６】
本考案は、上述の実施形態および変形例により説明され、本考案のあらゆる実施形態および変形例は例示的また限定的であるにすぎず、本考案の要旨を逸脱しない範囲において、上述の特徴の折りたたみ式の物置棚の様々な変化はすべて本考案に含まれている。
【符号の説明】
【００１７】
１０  側枠組み
１１  側柱
１２  位置制限穴  
２０  メインパイプラック
２１  位置決め穴
３０  スライドパイプラック
３１  穴
３２  弾性体
３２０  ボタン
４０  位置決め枠組み
４１  位置決め棒
４１０  位置制限部  
５０  棚板セット
５１  棚板
５２  組付ユニット  
５２０  アッパーストッパー
５２１  枢接片
６０  頂板セット
６１  頂板
６２  支持棒セット  
６２０  支持棒  
６３  頂部組付ユニット
６３０  アンダーストッパー
６３１  下枢接片
【図１】
0003194529.tif 000003
【図２】
0003194529.tif 000004
【図３】
0003194529.tif 000005
【図４】
0003194529.tif 000006
【図５】
0003194529.tif 000007
【図６】
0003194529.tif 000008